(57)【要約】 【課題】  指示媒体で選択された選択領域を電子ファイル化する際の効率化を図る。【解決手段】  画像処理装置（書画カメラ装置１）は、被写体（資料２）を撮像する撮像手段（カメラ１３）と、撮像手段で撮像された領域のうち、指示媒体（指Ｆ）で指定された指定領域を画像保存用の第一領域として認識する第一領域認識手段（パソコン１４）と、指示媒体で指定された指定領域を文字列指定用の第二領域として認識する第二領域認識手段（パソコン１４）と、第二領域認識手段で認識された第二領域内の文字を認識する文字認識手段（パソコン１４）と、認識された文字を基に第一領域の画像のファイル名を決定する決定手段（パソコン１４）と、決定手段により決定されたファイル名で、第一領域の画像を保存する保存手段（パソコン１４）とを備えている。これにより、指示媒体で選択された選択領域を効率的に電子ファイル化することが可能となる。【選択図】        図１
2015033002.tif 000002
【特許請求の範囲】
【請求項１】
指示媒体によって指示される被写体内の指示位置を特定する画像処理装置であって、
前記被写体を撮像する撮像手段と、
前記撮像手段で撮像された領域のうち、前記指示媒体で指定された指定領域を画像保存用の第一領域として認識する第一領域認識手段と、
前記撮像手段で撮像された領域のうち、前記指示媒体で指定された指定領域を文字列指定用の第二領域として認識する第二領域認識手段と、
前記第二領域認識手段で認識された前記第二領域内の文字を認識する文字認識手段と、
前記文字認識手段で認識された文字を基に、前記第一領域認識手段で認識された前記第一領域の画像のファイル名を決定する決定手段と、
前記決定手段により決定された前記ファイル名で、前記第一領域の画像を保存する保存手段と、
を備えることを特徴とする画像処理装置。
【請求項２】
請求項１記載の画像処理装置において、
前記第一領域認識手段及び前記第二領域認識手段は、前記指示媒体で指定される指示方法に基づいて、前記第一領域であるか前記第二領域であるかを区別することを特徴とする画像処理装置。
【請求項３】
請求項２記載の画像処理装置において、
前記指示方法には、前記指示媒体の軌跡が閉じた軌跡で指示する第一指示方法と、前記指示媒体の軌跡が開いた軌跡で指示する第二指示方法とがあり、
前記第一領域認識手段は、前記第一指示方法及び前記第二指示方法のいずれか一方の指示方法によって前記第一領域を認識することを特徴とする画像処理装置。
【請求項４】
請求項３記載の画像処理装置において、
前記第一領域認識手段は、前記第一指示方法によって前記第一領域を認識する場合、前記閉じた軌跡として右回り及び左回りのいずれか一方の軌跡で囲まれた領域を前記第一領域として認識することを特徴とする画像処理装置。
【請求項５】
請求項４記載の画像処理装置において、
前記第二領域認識手段は、前記第一指示方法による閉じた軌跡の進行方向が、前記第一領域認識手段が第一領域として認識した軌跡とは異なる場合、当該閉じた軌跡で囲まれた領域を前記第二領域として認識することを特徴とする画像処理装置。
【請求項６】
請求項３〜５のいずれか一項に記載の画像処理装置において、
前記第二領域認識手段は、前記第一指示方法によって前記第一領域を認識する場合、前記第二指示方法によって前記第二領域を認識することを特徴とする画像処理装置。
【請求項７】
請求項６記載の画像処理装置において、
前記第二領域認識手段は、前記指示媒体の進行方向によって、前記第二領域の種類を区別することを特徴とする画像処理装置。
【請求項８】
請求項７記載の画像処理装置において、
前記第二領域認識手段には、前記第二領域の種類としてファイル名指定用の領域を指定するための前記指示媒体の第一進行方向と、前記第二領域の種類として検索キーワード指定用の領域を指定するための前記指示媒体の第二進行方向とが、互いに異なる方向となるように予め設定されていて、
前記決定手段は、前記文字認識手段によって認識された前記ファイル名指定用の領域内の文字に基づいて前記ファイル名を決定し、
前記保存手段は、前記文字認識手段によって認識された前記検索キーワード指定用の領域内の文字からなるキーワードをタグ情報として前記第一領域の画像とともに保存することを特徴とする画像処理装置。
【請求項９】
請求項１記載の画像処理装置において、
前記第一領域認識手段及び前記第二領域認識手段は、前記指示媒体で指定される指示の順序に基づいて前記第一領域であるか前記第二領域であるかを区別することを特徴とする画像処理装置。
【請求項１０】
請求項１〜９のいずれか一項に記載の画像処理装置において、
前記撮像手段の撮像内容を表示する表示手段を備えることを特徴とする画像処理装置。
【請求項１１】
請求項１０記載の画像処理装置において、
前記表示手段は、前記第一領域の指定時と、前記第二領域の指定時とが視覚的に区別がつくように表示することを特徴とする画像処理装置。
【請求項１２】
請求項１０又は１１記載の画像処理装置において、
前記表示手段は、前記文字認識手段で認識された文字を表示することを特徴とする画像処理装置。
【請求項１３】
指示媒体によって指示される被写体内の指示位置を特定する画像処理方法であって、
前記被写体を撮像する撮像工程と、
前記撮像工程で撮像された領域のうち、前記指示媒体で指定された指定領域を画像保存用の第一領域として認識する第一領域認識工程と、
前記撮像工程で撮像された領域のうち、前記指示媒体で指定された指定領域を文字列指定用の第二領域として認識する第二領域認識工程と、
前記第二領域認識工程で認識された前記第二領域内の文字を認識する文字認識工程と、
前記文字認識工程で認識された文字を基に、前記第一領域認識工程で認識された前記第一領域の画像のファイル名を決定する決定工程と、
前記決定工程により決定された前記ファイル名で、前記第一領域の画像を保存する保存工程とを含むことを特徴とする画像処理方法。
【請求項１４】
指示媒体によって指示される被写体内の指示位置を特定する画像処理装置に備わるコンピュータで実行されるプログラムであって、
コンピュータを、
前記被写体を撮像する撮像手段と、
前記撮像手段で撮像された領域のうち、前記指示媒体で指定された指定領域を画像保存用の第一領域として認識する第一領域認識手段と、
前記撮像手段で撮像された領域のうち、前記指示媒体で指定された指定領域を文字列指定用の第二領域として認識する第二領域認識手段と、
前記第二領域認識手段で認識された前記第二領域内の文字を認識する文字認識手段と、
前記文字認識手段で認識された文字を基に、前記第一領域認識手段で認識された前記第一領域の画像のファイル名を決定する決定手段と、
前記決定手段により決定された前記ファイル名で、前記第一領域の画像を保存する保存手段として機能させることを特徴とするプログラム。
【発明の詳細な説明】
【技術分野】
【０００１】
本発明は、画像処理装置、画像処理方法及びプログラムに関する。
【背景技術】
【０００２】
従来、例えばプロジェクターなどの投影装置においては、投影されている画像内をレーザーポインタなどの指示媒体で選択することによりその選択領域が強調表示されるものが知られている（例えば特許文献１参照）。この強調表示を行うに際しては、投影されている画像を撮影し、その撮影画像に所定の画像処理を施すことによって指示媒体の指示箇所を特定することにより、選択領域を認識するようになっている。
【先行技術文献】
【特許文献】
【０００３】
【特許文献１】特開２００６−１２１１８１号公報
【発明の概要】
【発明が解決しようとする課題】
【０００４】
ここで、近年においては、指示媒体で選択された選択領域を切り出して電子ファイル化することが望まれている。
そこで本発明の課題は、指示媒体で選択された選択領域を電子ファイル化する際の効率化を図ることである。
【課題を解決するための手段】
【０００５】
以上の課題を解決するため、本発明の一の態様によれば、
指示媒体によって指示される被写体内の指示位置を特定する画像処理装置であって、
前記被写体を撮像する撮像手段と、
前記撮像手段で撮像された領域のうち、前記指示媒体で指定された指定領域を画像保存用の第一領域として認識する第一領域認識手段と、
前記撮像手段で撮像された領域のうち、前記指示媒体で指定された指定領域を文字列指定用の第二領域として認識する第二領域認識手段と、
前記第二領域認識手段で認識された前記第二領域内の文字を認識する文字認識手段と、
前記文字認識手段で認識された文字を基に、前記第一領域認識手段で認識された前記第一領域の画像のファイル名を決定する決定手段と、
前記決定手段により決定された前記ファイル名で、前記第一領域の画像を保存する保存手段と、
を備えることを特徴とする画像処理装置が提供される。
【発明の効果】
【０００６】
本発明によれば、指示媒体で選択された選択領域を効率的に電子ファイル化することが可能となる。
【図面の簡単な説明】
【０００７】
【図１】本実施形態に係る画像処理システムとしての書画カメラ装置の概略構成を示す斜視図である。
【図２】図１の書画カメラ装置の主制御構成を示すブロック図である。
【図３】本実施形態に係る切り出し処理の流れを示すフローチャートである。
【図４】本実施形態に係る媒体認識前処理の流れを示すフローチャートである。
【図５】図４の媒体認識前処理時における撮像画像の状態遷移を表す説明図である。
【図６】本実施形態に係る領域特定処理の流れを示すフローチャートである。
【図７】本実施形態に係る指示位置特定処理の流れを示すフローチャートである。
【図８】図７の指示位置特定処理時における撮像画像の状態遷移を表す説明図である。
【図９】本実施形態に係る切り出し領域指定時の動作手順を示す説明図である。
【図１０】本実施形態に係る切り出し領域指定時の動作手順を示す説明図である。
【図１１】本実施形態に係る文字列領域指定時の動作手順を示す説明図である。
【図１２】本実施形態に係る文字列領域指定時の動作手順を示す説明図である。
【図１３】本実施形態に係る領域分析における画像処理の手順を示す説明図である。
【図１４】本実施形態に係る切り出し領域に基づいて実際の切り出し部分を特定する例を示す説明図である。
【図１５】本実施形態に係る領域認識処理で認識される文字の一例を示す説明図である。
【図１６】本実施形態に係る文字列領域を開いた軌跡で指定する場合を例示した説明図である。
【図１７】本実施形態に係る切り出し領域を開いた軌跡で指定する場合を例示した説明図である。
【図１８】本実施形態の書画カメラ装置の変形例を示すブロック図である。
【発明を実施するための形態】
【０００８】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態に係る画像処理システムの概略構成を示す斜視図である。図１に示すように本発明に係る画像記録装置としての書画カメラ装置１には、資料２が載置される台座１１と、台座１１から立設するスタンド部１２と、スタンド部１２の上端部に取り付けられ、台座１１上の資料２を撮像する撮像手段としてのカメラ１３と、カメラ１３に有線或いは無線で接続されるパソコン１４とが設けられている。
資料２は本発明に係る被写体であり、カメラ１３の撮像領域に収まるように台座１１上にセットされている。図１上の被写体としては平面性を有する資料２を例示して挙げているが、本やそれ以外の立体物を被写体としても構わない。資料２に対して例えば指Ｆ等の指示媒体で所定の領域を指示すると、その指Ｆもカメラ１３によって撮像されることになる。カメラ１３は、高解像度で撮像をする高解像度モードと、高解像度モードよりも低い解像度で撮像をする低解像度モードとが切り替え自在となっている。
【００１０】
図２は図１の書画カメラ装置１の主制御構成を示すブロック図である。図２に示すようにカメラ１３には焦点位置の調整等が可能な光学レンズ部１３１と、光学レンズ部１３１を透過した被写体像をデジタル信号に変換するイメージセンサ１３２と、イメージセンサ１３２により変換されたデジタル信号をパソコン１４に出力するＩ／Ｆ１３３とが設けられている。
【００１１】
パソコン１４は、カメラ１３から入力されたデジタル信号を常にモニタリングしている。このとき、指Ｆが重なっていない状態の資料２がカメラ１３によって撮像された画像をパソコン１４は指示前画像５（図５参照）として取得する。さらに、指Ｆが重なった状態の資料２がカメラ１３によって撮像された画像をパソコン１４は指示中画像６（図８参照）として取得する。そして、パソコン１４は、取得した指示前画像５と指示中画像６とから資料２上の指Ｆによる指示位置を特定し、当該特定した指示位置に基づいて資料２内の一部の画像を切り出すようになっている。
【００１２】
以下、画像の切り出し処理について詳細に説明する。図３は切り出し処理の流れを示すフローチャートである。
まず、作業者はマウスやキーボードなどの操作部を操作することによりパソコン１４に対して切り出し処理の開始指示を入力する。この指示に基づいてパソコン１４は切り出し処理用のプログラムを実行しカメラ１３を初期化する。この初期化時においてはカメラ１３の解像度は低解像度モードに設定される（ステップＳ１）。
このとき、カメラ１３は撮影を実行しているため、当該カメラ１３により撮像された映像はパソコン１４に送られ、当該パソコン１４のディスプレイ（表示手段）１５に表示されている。この表示画像を見ながら、作業者は資料２の位置調整を行い、最適な位置へ資料２を案内する。
資料２の位置が決定したら作業者は操作部を操作し、以降の工程への進行が促される。
【００１３】
ステップＳ２では、パソコン１４は媒体認識前処理を実行する。図４は媒体認識前処理の流れを示すフローチャートである。図５は媒体認識前処理時における撮像画像の状態遷移を表す説明図であり、（ａ）は指示前画像５を示し、（ｂ）はマスク領域を示し、（ｃ）は指示前画像５から同色領域５１を削除した状態を示している。
マスク領域とは、同色領域とされる領域であり、同色領域とともに詳しくは後述する。
【００１４】
図４に示すようにステップＳ２１では、パソコン１４はカメラ１３を制御して、資料２に指Ｆが重なっていない指示前画像５（図５（ａ）参照）を撮像し、低解像度なカラー画像データを取り込む（撮像工程、撮像ステップ）。
【００１５】
ステップＳ２２では、パソコン１４は取り込んだ指示前画像５から同色領域５１を抽出する。同色領域５１とは、指示媒体が指Ｆである場合には肌色と同程度の色を有する領域のことである。
なお、肌色と言っても白人、黒人、黄色人種等のように人種によって肌の色が異なる場合もあれば、個人差による違いもあり、さらには同一人物であっても季節によって肌の色が異なる。このため、これらを包含するように肌色として認識する許容範囲を予め設定していてもよいし、人種毎の許容範囲が個別に登録されていて、使用する人種によって該当する許容範囲を選択するようにしてもよい。
また、例えば指示棒やレーザーポインタなどのような指Ｆ以外の指示媒体を用いる場合には、その指示媒体と同程度の色を有する領域を同色領域５１とする。この場合においても光の当たり具合によっては指示媒体の色が多少違って撮像されてしまうので、指示媒体と同程度の色として認識するように許容範囲を設定しておくことが好ましい。
【００１６】
そして図４のステップＳ２３では、パソコン１４は指示前画像５内に同色領域５１があるか否かを判断し、ない場合には媒体認識前処理を終えてステップＳ３に移行し、ある場合にはステップＳ２４に移行する。
【００１７】
ステップＳ２４では、パソコン１４は同色領域５１を図５（ｂ）に示すマスク領域５２として指定し同色マスクデータを作成する。
この同色マスクデータに基づいて指示前画像５を画像処理すると同色領域５１が削除された図５（ｃ）のような指示前画像５が作成される。同色マスクデータの作成後にはパソコン１４は媒体認識前処理を終えてステップＳ３に移行する。
【００１８】
図３のステップＳ３では、パソコン１４は、ディスプレイ１５に指示内容を表示する。具体的には、「領域を指定してください。領域を右回りで囲んだ場合は切り出し領域として、左回りで囲んだ場合は文字列領域として特定されます。」というように、領域を指定するための閉じた軌跡の進行方向（囲み方の向き）により、切り出し領域が特定されるか、文字列領域が特定されるかをユーザに示す。なお、上述した例とは逆に右回りで囲まれた領域を文字列領域とし、左回りで囲まれた領域を切り出し領域としてもよい。
【００１９】
ステップＳ４では、パソコン１４は領域特定処理を実行する。図６はその領域特定処理の流れを示すフローチャートである。
ステップＳ３１ではパソコン１４は指示位置特定処理を実行する。図７はその指示位置特定処理の流れを示すフローチャートであり、図８は指示位置特定処理時における撮像画像の状態遷移を表す説明図である。
【００２０】
図７のステップＳ５１では、パソコン１４はカメラ１３を制御して、資料２に対するカラー撮像を開始する。このときカメラ１３からの映像はパソコン１４によって常にモニタリングされることになる。
ステップＳ５２では、パソコン１４は同色マスクデータの有無を判断して、同色マスクデータがある場合にはステップＳ５３に移行し、同色マスクデータのない場合にはステップＳ５６に移行する。
ステップＳ５２で同色マスクデータがあるとされた場合、ステップＳ５３に移行し、そこでは、パソコン１４はカメラ１３から入力された映像内であって、同色マスクデータからなるマスク領域５２外の領域に新たな同色領域５３があるか否かを判断し、ない場合にはそのままカメラ１３によるカラー撮像を継続し、ある場合にはステップＳ５４に移行する。例えば図８（ａ）に示すように資料２に指Ｆが重なっていると、マスク領域５２外においても指Ｆが存在しているので、パソコン１４は図８（ａ）に示す画像を指示中画像６として取得する。
ステップＳ５４では、パソコン１４は指示中画像６から同色領域５２（５１），５３を抽出する。
ステップＳ５５では、パソコン１４は抽出した同色領域５２（５１），５３からマスク領域５２内を削除してステップＳ５８に移行する。図８（ｂ）は指示中画像６からマスク領域５２内を削除した状態を示している。
【００２１】
一方、ステップＳ５２で同色マスクデータがないとされた場合、ステップＳ５６に移行し、そこでは、パソコン１４はカメラ１３から入力された映像内に同色領域５３があるか否かを判断する。例えば図８（ａ）の指示中画像６内にマスク領域５２が存在しない場合が、前記映像内に同色領域５３がある場合であり、指示中画像６内にマスク領域５２も指Ｆもない状態が、前記映像内に同色領域５３がない場合である。パソコン１４は同色領域５３がない場合にはそのままカメラ１３によるカラー撮像を継続し、同色領域５３がある場合にはステップＳ５７に移行する。
ステップＳ５７では、パソコン１４は指示中画像６から同色領域５３を抽出し、抽出した同色領域５３を指示媒体部分Ｅとして認識して、ステップＳ５８に移行する。
【００２２】
ステップＳ５８では、パソコン１４は指示中画像６から抽出した同色領域５３に対してラベリング処理を施す。例えば指示中画像６中に同色領域が１つの場合、つまり指示媒体部分Ｅが分断していない場合には同色領域数は１となる。図８（ｂ）に示すようにマスク領域５２によって指示媒体部分Ｅが分断されている場合には同色領域数は複数となる。なお、マスク領域５２が存在していない場合であっても指輪や腕時計、リストバンドなどによって指示媒体部分Ｅが分断される場合もあるがこの場合においても同色領域数は複数となる。
【００２３】
ステップＳ５９では、パソコン１４は同色領域数が２以上であるか否かを判断し、同色領域数が２未満である場合には後述するステップＳ４１に移行し、同色領域数が２以上である場合にはステップＳ６０に移行する。
ステップＳ６０では、パソコン１４は指示媒体部分Ｅのうち分断されて欠損した部分を周辺画像から修復する。
具体的には、図８（ｃ）に示すようにマスク領域５２内の各画素を修復画素として、各修復画素に最も近いマスク領域５２外の画素の色を当該修復画素の色として決定する。これにより、マスク領域５２内の修復画素を決定し、同色領域５２ｂとなる修復画素も決定し、ステップＳ６１に移行する。なお、図８（ｃ）中、同色領域とならなかった修復画素は無地として符号５２ａを付している。一方、同色領域となった修復画素はハッチングを掛け符号５２ｂを付している。なお、マスク領域５２が存在していない状態で指示媒体部分Ｅが分断している場合においては、その分断している部分に仮想的な枠体をはめ込む。そしてその枠体をマスク領域５２と仮定して、上述した手順で修復画素の色を決定する。
【００２４】
ステップＳ６１では、パソコン１４は二値化処理を施して同色領域５２ｂ、５３の輪郭を抽出する。図８（ｄ）では図８（ｃ）に示した指示中画像６における同色領域５２ｂ、５３の輪郭５２ｃ（点線部）を示している。なお、同色領域数が１である場合には指示媒体部分Ｅの修復自体も不要であるため、その１つの同色領域の輪郭を抽出することになる。
ステップＳ６２では、パソコン１４は指示媒体部分Ｅの輪郭５２ｃから最も突出した位置を指示位置として特定する。図８（ｅ）では輪郭５２ｃのみを示しており、その最も突出した位置５２ｄが指示位置として特定される。指示位置の特定後、パソコン１４は図７の処理（図６のステップＳ３１）を抜け、ステップＳ３２に移行する。
【００２５】
ステップＳ３２では、パソコン１４は特定した指示位置の座標が一定時間、略同位置の場所に留まっているか否かを判断する。具体的には、一定時間毎に、ステップＳ３１の処理を行い、特定した指示位置の座標が一定時間、略同位置に場所に留まっているか否かを判断する。ここで「略同位置」とは完全に同じ位置でなくとも、指示位置が多少ぶれていても同じ位置と判断できるように所定の許容範囲を含んだ位置のことである。
【００２６】
ステップＳ３２で特定した指示位置の座標が一定時間、略同位置の場所に留まっているとされた場合、ステップＳ３３に移行し、そこでは、パソコン１４はステップＳ３２で特定した指示位置を開始点座標として記録する。
ここでの一定時間は、開始点座標を認識させるために、後述の所定時間よりも比較的長い時間とする。
ステップＳ３４では、パソコン１４は所定時間の経過を待つ。
ステップＳ３５では、パソコン１４は上述した図７の処理（ステップＳ３１の処理）と同じ指示位置特定処理を実行し、現在の指示位置を特定する。
ステップＳ３６では、パソコン１４はステップＳ３４で所定時間経過した後にステップＳ３５で特定した指示位置の座標を記録する。
このようにして、パソコン１４は所定時間毎にステップＳ３５で特定した指示位置の座標を記録していく。
【００２７】
ステップＳ３７では、パソコン１４はステップＳ３６で記録した指示位置と、開始点座標とが略一致しているか否かを判断し、略一致していない場合にはステップＳ３４に移行し、略一致している場合には、図３のステップＳ５に移行する。ここで「略一致」とは完全に一致していなくとも、指示位置が開始点座標から多少離れていても一致と判断できるように所定の許容範囲を含んだ位置のことである。
このように、指示位置が開始点座標に復帰するまでステップＳ３４〜ステップＳ３７が繰り返されるため、指Ｆによる指示位置の座標が多数記録されて、枠状の領域が特定されることになる。
【００２８】
ステップＳ５では、パソコン１４は、ステップＳ４で特定された枠状の領域を囲む軌跡の進行方向が右回りか左回りかを判断し、右回りの場合にはステップＳ６に移行し、左回りの場合にはステップＳ７に移行する。
【００２９】
ステップＳ６では、パソコン１４は、右回りであった軌跡からなる領域を切り出し領域として特定する。特定時においては、例えば「切り出し領域を特定しました。」などのように、切り出し領域の特定が完了した旨をディスプレイ１５に一時的に表示してもよい。
そして、パソコン１４のディスプレイ１５には、上記メッセージとともに、特定された切り出し領域がわかるように表示される。
具体的に切り出し領域指定時における動作例について説明する。図９及び図１０は切り出し領域指定時における動作手順を示す説明図である。
まず図９（ａ）に示すように資料２の全体像を指示前画像Ｇ２として低画質モードで撮像する。
その後、図９（ｂ）に示すように、ユーザは資料２上に指Ｆを置く。その状態のまま一定時間経過すると、パソコン１４側では特定した指示位置を開始点座標ｆ１として認識する。
【００３０】
そして、図１０（ａ）に示すように、ユーザは所望の領域を右回りで囲むように指Ｆを移動させる。このとき、パソコン１４側では指Ｆの軌跡ｆ２を特定するため、その指示位置を所定時間毎に記録している。
そして、図１０（ｂ）に示すように、ユーザは所望の領域を含む閉じた軌跡ｆ２となるように指Ｆを移動させて最終的に開始点座標ｆ１付近に指Ｆを置く。これによりパソコン１４側では指Ｆの軌跡ｆ２が多数の座標として記録され、枠状の切り出し領域ｃとして特定される。
【００３１】
このようにカメラ１３によって撮像された領域のうち、指Ｆで指定された指定領域を、画像保存用の切り出し領域（第一領域）ｃとして認識する本発明に係る第一領域認識手段はパソコン１４である。そして、本発明に係る第一領域認識行程及び第一領域認識ステップはステップＳ６である。
【００３２】
図３のステップＳ７では、パソコン１４は、左回りであった軌跡からなる領域を文字列領域として特定する。特定時においては、例えば「文字列領域を特定しました。」などのように、文字列領域の特定が完了した旨をディスプレイ１５に一時的に表示してもよい。
そして、パソコン１４のディスプレイ１５には、上記メッセージとともに、特定された切り出し領域がわかるように表示される。
具体的に文字列領域指定時における動作例について説明する。図１１及び図１２は文字列領域指定時における動作手順を示す説明図である。
まず図１１に示すように、ユーザは資料２上に指Ｆを置く。その状態のまま一定時間経過すると、パソコン１４側では特定した指示位置を開始点座標ｆ３として認識する。
【００３３】
そして、図１２（ａ）に示すように、ユーザは所望の領域を左回りで囲むように指Ｆを移動させる。このとき、パソコン１４側では指Ｆの軌跡ｆ４を特定するため、その指示位置を所定時間毎に記録している。
そして、図１２（ｂ）に示すように、ユーザは所望の領域を含む閉じた軌跡ｆ４となるように指Ｆを移動させて最終的に開始点座標ｆ３付近に指Ｆを置く。これによりパソコン１４側では指Ｆの軌跡ｆ４が多数の座標として記録され、枠状の文字列領域ｄとして特定される。
【００３４】
このように、カメラ１３によって撮像された領域のうち、指Ｆで指定された指定領域を、文字列指定用の文字列領域（第二領域）ｄとして認識する本発明に係る第二領域認識手段はパソコン１４である。そして、本発明に係る第二領域認識行程及び第二領域認識ステップはステップＳ７である。
【００３５】
図３のステップＳ８では、パソコン１４は、切り出し領域及び文字列領域の両者が特定されたか否かを判断し、特定されていない場合にはステップＳ９に移行し、特定されている場合にはステップＳ１０に移行する。
ステップＳ９では、パソコン１４は、ディスプレイ１５に表示されている指示内容を切り替え、ステップＳ４に移行する。例えば、切り出し領域が特定されていない場合には、「領域を右回りで囲んで切り出し領域を指定してください。」というように、切り出し領域の指定がユーザに促される。他方、文字列領域が特定されていない場合には、「領域を左回りで囲んで文字列領域を指定してください。」というように、文字列領域の指定がユーザに促される。
【００３６】
切り出し領域及び文字列領域の両者が特定され処理がステップＳ１０に移行すると、このステップＳ１０ではパソコン１４はカメラ１３の解像度を高解像度モードに設定する。
ステップＳ１１ではパソコン１４はカメラ１３を制御して、資料２に指Ｆが重なっていない指示前画像５を再度撮像し、高解像度なカラー画像データを基準画像として取り込む。
【００３７】
ステップＳ１２ではパソコン１４は基準画像に対して領域分析を施す。図１３は領域分析における画像処理の手順を示す説明図であり、（ａ）は基準画像の一例を示し、（ｂ）は基準画像に対してぼかし処理を施した画像を示し、（ｃ）は資料２中の各領域の輪郭を抽出した画像を示している。図１３（ａ）に示すように基準画像Ｇ１には、数字からなる第一文字領域ｍ１と、アルファベットからなる第二文字領域ｍ２と、画像からなる画像領域ｍ３とが設けられている。
まず図１３（ａ）に示すカラーの基準画像Ｇ１をパソコン１４はモノクロ多値画像に変換する。変換後の基準画像Ｇ１に対してパソコン１４は特定のフィルタをかけて基準画像をぼかす（図１３（ｂ）参照）。これにより各領域ｍ１，ｍ２，ｍ３がそれぞれ一体的に連結される。次いで、パソコン１４は、ぼかした基準画像Ｇ１を二値化して輪郭抽出を行う（図１３（ｃ）参照）。輪郭抽出では、各領域ｍ１，ｍ２，ｍ３の輪郭ｎ１，ｎ２，ｎ３が多数の点列から構成されることになる。パソコン１４は各点列の座標データを取得し、当該座標データを各領域ｍ１，ｍ２，ｍ３の座標データとして記録する。
なお、この領域分析処理においては、高画質な基準画像に対して直接実行してもよいし、高画質で撮像された基準画像を低画質な画像に変換し、当該低画質な基準画像に対して実行してもよい。また、ステップＳ２の媒体認識前処理と合わせて領域分析処理を実行してもよい。
【００３８】
ステップＳ１３ではパソコン１４は切り出し領域ｃに基づいて高解像度画像（基準画像Ｇ１）の一部を切り出す。図１４は切り出し領域ｃに基づいて実際の切り出し部分を特定する例を示す説明図である。なお、以下の説明においては実際の切り出し部分の特定方法を２種類説明するが、その他の周知の特定方法を用いても構わない。
まず、パソコン１４は図１４（ａ）に示すように、各領域ｍ１，ｍ２，ｍ３の輪郭ｎ１，ｎ２，ｎ３と、切り出し領域ｃとを重ね合わせる。
そして第一特定方法においては、パソコン１４は各領域ｍ１，ｍ２，ｍ３の輪郭ｎ１，ｎ２，ｎ３と切り出し領域ｃとの重なっている割合を算出する。この割合が５０％以上であれば実際の切り出し部分として特定する。具体的には図１４（ｂ）に示すように第一文字領域ｍ１は切り出し領域ｃに１００％重なっているので実際の切り出し部分として特定する。第二文字領域ｍ２は切り出し領域ｃに３０％程度で重なっているので実際の切り出し部分としては特定しない。画像領域ｍ３は切り出し領域ｃに全く重なっていないので実際の切り出し領域として特定しない。この結果からパソコン１４は第一文字領域ｍ１のみを基準画像Ｇ１から切り出して図１４（ｃ）に示すように第一文字領域ｍ１のみを画像データとして記録する。
【００３９】
第二特定方法においては、図１４（ｄ）に示すようにパソコン１４は切り出し領域ｃを内接する矩形領域ｃ１を作成する。そしてこの矩形領域ｃ１に一部でも含まれている領域を実際の切り出し部分として特定する。図１４（ｄ）では第一文字領域ｍ１と第二文字領域ｍ２が実際の切り出し部分として特定され、矩形領域ｃ１に全く重なっていない画像領域ｍ３は実際の切り出し部分として特定されない。この結果からパソコン１４は第一文字領域ｍ１及び第二文字領域ｍ２を基準画像Ｇ１から切り出して図１４（ｅ）に示すように第一文字領域ｍ１及び第二文字領域ｍ２を画像データとして記録する。
【００４０】
図３のステップＳ１４では、パソコン１４は文字列領域ｄに対して、例えばＯＣＲ処理などのような周知の文字認識処理を施すことで、文字列領域ｄ内の文字を認識する。
つまり、文字列領域ｄ内の文字を認識する本発明に係る文字認識手段はパソコン１４である。また、本発明に係る文字認識行程及び文字認識ステップはステップＳ１４である。
図１５は文字認識処理で認識される文字の一例を示す説明図である。文字認識処理では、例えば図１５（ａ）に示すように文字列領域ｄ内に完全に含まれている文字のみを認識するようにしてもよいし、図１５（ｂ）に示すように文字列領域ｄに一部が含まれている文字を認識するようにしてもよい。図１５（ａ）、（ｂ）のいずれの場合でも、文字認識処理で「１２３４５」が認識されることとなる。この文字の認識範囲は任意に選択できるようにしておくことが好ましい。
【００４１】
図３のステップＳ１５では、パソコン１４はステップＳ１４で認識した文字列をディスプレイ１５に表示する。この際、パソコン１４は、表示している文字列をファイル名として用いていいか否かの選択をユーザに促す内容も同時に表示している。
ステップＳ１６では、パソコン１４は、ユーザによって操作部に入力された指示内容が承認（ＹＥＳ）か再認識（ＮＯ）かを判断し、再認識の場合にはステップＳ１７に移行し、承認の場合にはステップＳ１９に移行する。
【００４２】
ステップＳ１７では、パソコン１４は上述した図６の処理（ステップＳ４の処理）と同じ領域特定処理を実行する。このとき、切り出し領域ｃはすでに特定されているので、領域指定時における軌跡が右回りであろうと左回りであろうと、その軌跡は文字領域特定用の軌跡として扱われる。
そして、ステップＳ１８では、パソコン１４は、ステップＳ１７で指定された軌跡からなる領域を文字列領域として特定し、ステップＳ１４に移行する。特定時においては、例えば「文字列領域を特定しました。」などのように、文字列領域の特定が完了した旨をディスプレイ１５に一時的に表示してもよい。
なお、文字認識処理自体に些細な誤りがあった場合に、認識されたテキスト内容をユーザがキー入力等で修正できるような工程が組み込まれるようにしてもよい。
【００４３】
ステップＳ１９では、パソコン１４は認識した文字列に基づいてファイル名を決定する。つまり、認識された文字を基にファイル名を決定する本発明に係る決定手段はパソコン１４である。また、本発明に係る決定行程及び決定ステップはステップＳ１９である。
例えば図１５の場合、認識した文字列「１２３４５」に基づいてファイル名を決定する。ファイル名としては認識した文字列をそのまま使用してもよく、前例の場合だと「１２３４５」がファイル名となる。また、これ以外にも、認識した文字列に対して任意の情報を追加して使用してもよい。任意の情報としては保存日や保存時刻、ユーザの任意の文字列などが挙げられる。例えば認識した文字列が「１２３４５」、保存日が２０１３年１月１日、保存時刻が１２：００であってこれらをファイル名として用いる場合には、「１２３４５２０１３０１０１１２００」がファイル名となる。
【００４４】
ステップＳ２０では、パソコン１４はステップＳ１９で決定したファイル名で、実際の切り出し部分の画像データを保存する。この際、パソコン１４は実際の切り出し部分の画像データとファイル名とをディスプレイ１５上に表示を行う。
つまり、決定されたファイル名で切り出し部分の画像データを保存する本発明に係る保存手段はパソコン１４である。また、本発明に係る保存行程及び保存ステップはステップＳ２０である。
【００４５】
以上のように本実施形態によれば、指Ｆによって指定された文字列領域ｄ内の文字を認識し、当該認識した文字に基づいてファイル名が決定されるので、キーボード等の文字入力手段を用いなくともユーザが指Ｆで資料２上をなぞればファイル名が決定されることになる。また、指Ｆによって指定された切り出し領域ｃの画像データは、前述のファイル名で保存されることになる。
このように、指Ｆ等の指示媒体で資料２上をなぞることで、電子化したい画像及びファイル名が指定できるので、切り出し領域ｃ（選択領域）を効率的に電子ファイル化することが可能となる。
【００４６】
また、パソコン１４は、指Ｆの軌跡ｆ２が右回りに描かれることで切り出し領域ｃを判断し、指Ｆの軌跡ｆ４が左回りに描かれることで文字列領域ｄを判断している。このように、指Ｆで指定される指定方法に基づいてパソコン１４が切り出し領域ｃ及び文字列領域ｄを区別しているので、指Ｆによる指定方法を変更することにより簡単に切り出し領域ｃ及び文字列領域ｄの指定を切り替えることができる。
言い方を変えると、指Ｆによる指定方法により、パソコン１４は、切り出し領域ｃであるか文字列領域ｄであるかを認識することができる。
【００４７】
また、指Ｆの軌跡が閉じた軌跡ｆ２である場合、パソコン１４は前記閉じた軌跡ｆ２で囲まれた領域を切り出し領域ｃとして認識しているので、直接資料２の上を指Ｆでなぞるという簡単な操作で切り出し領域ｃを指定することができる。
【００４８】
また、指Ｆの軌跡が閉じた軌跡ｆ４であって、切り出し領域ｃとして認識した軌跡ｆ２とは進行方向（囲み方の向き）が異なる場合、パソコン１４は前記閉じた軌跡ｆ４で囲まれた領域を文字列領域ｄとして認識しているので、直接資料２の上を指Ｆでなぞるという簡単な操作で文字列領域ｄを指定することができる。
【００４９】
また、ディスプレイ１５がカメラ１３の撮像内容を表示しているので、資料２の状態や、指Ｆの移動を目視によって確認することができる。
また、領域特定処理前には、「領域を右回りで囲んだ場合は切り出し領域として、左回りで囲んだ場合は文字列領域として特定されます。」というように、領域を指定するための閉じた軌跡の進行方向により、切り出し領域が特定されるか、文字列領域が特定されるかがディスプレイ１５に表示されているので、切り出し領域の指定時と文字列領域の指定時とが視覚的に区別されてディスプレイ１５に表示されることになる。したがって、ユーザは現在行われている処理がなんであるかを認識することができる。
また、パソコン１４が認識した文字列領域ｄ内の文字がディスプレイ１５に表示されるので、ユーザは自分が意図した文字が認識されているか否かを確認することができる。
【００５０】
なお、本発明は上記実施形態に限らず適宜変更可能である。
例えば、上記実施形態では、指Ｆの軌跡ｆ２，ｆ４が閉じた軌跡となる第一指示方法を用いて、その軌跡ｆ２，ｆ４の進行方向の違いにより、切り出し領域ｃか文字列領域ｄかを判断する場合を例示したが、切り出し領域ｃは第一指示方法で指定し、文字列領域ｄは、開いた軌跡となる第二指示方法で指定することも可能である。第一指示方法と第二指示方法とは、指Ｆの動作が大きく異なっているので、ユーザにとっても異なる領域を指定していることが自覚しやすく、操作の混乱を招きにくくすることができる。
【００５１】
図１６は、文字列領域ｄを開いた軌跡で指定する場合を例示した説明図である。ここで、文字列領域ｄにはファイル名指定用の領域と、検索キーワード指定用の領域との用途の異なる二種類の領域が含まれている。ファイル名指定用の領域を指定する際の指Ｆの進行方向（第一進行方向）と、検索キーワード指定用の領域を指定する際の指Ｆの進行方向（第二進行方向）とは互いに異なる方向となるように予めパソコン１４に設定されている。例えば図１６に示すような横書きの場合、左から右へと向かう方向が第一進行方向Ｙ５に設定され、右から左へと向かう方向が第二進行方向Ｙ６に設定されている。なお、これとは逆に右から左へと向かう方向を第一進行方向Ｙ５、左から右へと向かう方向を第二進行方向Ｙ６に設定してもよい。
また、縦書きの場合では、例えば、上から下へと向かう方向を第一進行方向とし、下から上へと向かう方向を第二進行方向としてもよい。この場合も逆の設定にすることも可能であることはもちろんである。
【００５２】
具体的に説明すると、ユーザが資料２の所望の位置に指Ｆを置き、一定時間経過するとパソコン１４側では特定した指示位置を文字列領域ｄの開始点座標ｆ５として認識する。
そして、ユーザは所望の文字列を指定するため指Ｆを移動させる。ファイル名指定用の領域を指定する場合には、ユーザは第一進行方向Ｙ５で指Ｆを移動させて所望の文字列の下方をなぞる。他方、検索キーワード指定用の領域を指定する場合には、ユーザは第二進行方向Ｙ６で指Ｆを移動させて所望の文字列の下方をなぞる。そして、ユーザが指定する文字列の終了位置に指Ｆを置き一定時間経過すると、パソコン１４側では特定した指示位置を文字列領域ｄの終了点座標ｆ６として認識する。
これで文字列領域ｄの開始点座標ｆ５と終了点座標ｆ６とが認識されるため、パソコン１４はこれらの座標ｆ５，ｆ６及び軌跡ｆ７から文字列領域ｄを設定する。軌跡ｆ７が文字列の下方にある場合は、パソコン１４は軌跡ｆ７の上方近傍にある一列分の文字列を含む領域を文字列領域ｄとして設定する。他方、軌跡ｆ７が文字列に重なっている場合は、パソコン１４は軌跡ｆ７に重なった近傍領域一列分の文字列を含む領域を文字列領域ｄとして設定する。
【００５３】
そして、パソコン１４は、文字列領域ｄに対して周知の文字認識処理を施すことで、文字列領域ｄ内の文字を認識する。この際、文字列領域ｄを指定する際の指Ｆの進行方向が第一進行方向Ｙ５である場合、パソコン１４は、認識した文字をファイル名として決定する。図１６に示す例では、「１２３４５」がファイル名として用いられる。
また、文字列領域ｄを指定する際の指Ｆの進行方向が第二進行方向Ｙ６である場合、パソコン１４は、認識した文字をキーワードとして決定する。図１６に示す例では、「ＡＢ」、「ＣＤ」、「ＥＦ」のそれぞれがキーワードとして用いられる。
【００５４】
その後、パソコン１４は、決定したファイル名で実際の切り出し部分の画像データを保存する。この際、パソコン１４はキーワードもタグ情報として画像データとともに保存する。
【００５５】
このように、指Ｆの軌跡が開いた軌跡ｆ７である場合、パソコン４が前記開いた軌跡ｆ７でなぞられた領域を文字列領域ｄと認識するので、直接資料２の上を指Ｆでなぞるという簡単な操作で文字列領域ｄを指定することができる。また、切り出し領域ｃを指定する際の軌跡は閉じた軌跡ｆ２であるために、切り出し領域ｃの指定時と文字列領域ｄの指定時とでは指示方法が大きく異なることになる。このため、指示時におけるユーザの混乱を抑制することが可能である。
【００５６】
また、指Ｆの進行方向によって、パソコン１４が文字列領域ｄの種類を区別しているので、指Ｆによって指定された文字列においても種類を分けてパソコン１４に認識させることができる。
【００５７】
パソコン１４が、認識したキーワードをタグ情報として画像データとともに保存しているので、ファイル名とともに検索用のキーワードも指Ｆ等の指示媒体で資料２上をなぞることで効率的に電子ファイル化することができる。
【００５８】
また、第一指示方法で文字列領域ｄを指定し、第二指示方法で切り出し領域ｃを指定することも可能である。第二指示方法で切り出し領域ｃを指定する場合について具体的に説明する。図１７は、切り出し領域ｃを開いた軌跡で指定する場合を例示した説明図である。ユーザが資料２の所望の位置に指Ｆを置き、一定時間経過するとパソコン１４側では特定した指示位置を切り出し領域ｃの開始点座標ｆ８として認識する。
そして、ユーザは所望の画像を指定するため指Ｆを移動させる。そして、ユーザが指定する画像の終了位置に指Ｆを置き一定時間経過すると、パソコン１４側では特定した指示位置を切り出し領域ｃの終了点座標ｆ９として認識する。
これで切り出し領域ｃの開始点座標ｆ８と終了点座標ｆ９とが認識されるため、パソコン１４はこれらの座標ｆ８，ｆ９及び軌跡ｆ１０から切り出し領域ｃを設定する。軌跡ｆ１０が画像の下方にある場合は、パソコン１４は軌跡ｆ１０の上方近傍にある画像を含む矩形領域を切り出し領域ｃとして設定する。ここで、画像とその他の領域（背景領域）との判別は、背景領域の一様性（例えば無地、白等）と画像との境界によって行われている。例えば、パソコン１４は、軌跡ｆ１０が特定されると、当該軌跡ｆ１０の上方をスキャニングし、無地の部分と、画像との境界を認識する。その境界部分の上端ｆ１１を、矩形領域である切り出し領域ｃの上辺の位置として決定することで、切り出し領域ｃを特定している。
【００５９】
なお、上記実施形態では、画像保存用の切り出し領域（第一領域）ｃと、文字列指定用の文字列領域（第二領域）ｄとを、指示方法で区別して認識させる場合を例示したが、指示の順序で区別して認識させるようにすることも可能である。
具体的には、指示の順序により領域が区別して認識される旨を通知する適切なメッセージをユーザに示して、１回目の指示により画像保存用の切り出し領域（第一領域）ｃを認識させ、２回目の指示により文字列指定用の文字列領域（第二領域）ｄを認識させる、あるいは、１回目の指示により文字列領域（第二領域）ｄを認識させ、２回目の指示により画像保存用の切り出し領域（第一領域）ｃを認識させるようにしてもよい。
同様に、指示の順序により、ファイル名指定用の領域と、検索キーワード指定用の領域とを区別して認識させるようにしてもよい。
【００６０】
また、上記実施形態ではカメラ１３の撮像により得られた画像データに対してパソコン１４が種々の画像処理を施す場合を例示したが、カメラ側で画像データに対する画像処理を実行することも可能である。具体的には、図１８に示すように、カメラ１３Ａには、光学レンズ部１３１と、イメージセンサ１３２と、イメージセンサ１３２により変換されたデジタル信号を記録するＲＡＭ１３４（メモリーカード等を含む）と、各種プログラムが記録されたＲＯＭ１３５（ＥＥＰＲＯＭ等を含む）と、ＲＡＭ１３４内の画像データに対して画像処理を施す画像処理部１３６と、各種指示が入力される操作部１３７と、操作部１３７からの指示に基づいてＲＯＭ１３５中のプログラムを読み出し、光学レンズ部１３１、イメージセンサ１３２、画像処理部１３６等を制御するＣＰＵ１３８と、各種データをパソコン１４に出力するＩ／Ｆ１３３とが備えられている。
【００６１】
カメラ１３ＡのＲＯＭ１３５には、前記切り出し処理用のプログラムが記憶されている。このプログラムをカメラ１３ＡのＣＰＵ２３８が実行することによって、切り出し処理が実行される。つまり、カメラ１３Ａが本発明に係る撮像手段、第一領域認識手段、第二領域認識手段、文字認識手段及び決定手段である。そして切り出し処理によって切り出された画像データは、カメラ１３Ａにより決定されたファイル名が付与されてから、パソコン１４に送られ記録される。つまり、パソコン１４が本発明に係る保存手段である。
【００６２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６３】
〔付記〕
＜請求項１＞
指示媒体によって指示される被写体内の指示位置を特定する画像処理装置であって、
前記被写体を撮像する撮像手段と、
前記撮像手段で撮像された領域のうち、前記指示媒体で指定された指定領域を画像保存用の第一領域として認識する第一領域認識手段と、
前記撮像手段で撮像された領域のうち、前記指示媒体で指定された指定領域を文字列指定用の第二領域として認識する第二領域認識手段と、
前記第二領域認識手段で認識された前記第二領域内の文字を認識する文字認識手段と、
前記文字認識手段で認識された文字を基に、前記第一領域認識手段で認識された前記第一領域の画像のファイル名を決定する決定手段と、
前記決定手段により決定された前記ファイル名で、前記第一領域の画像を保存する保存手段と、
を備えることを特徴とする画像処理装置。
＜請求項２＞
請求項１記載の画像処理装置において、
前記第一領域認識手段及び前記第二領域認識手段は、前記指示媒体で指定される指示方法に基づいて、前記第一領域であるか前記第二領域であるかを区別することを特徴とする画像処理装置。
＜請求項３＞
請求項２記載の画像処理装置において、
前記指示方法には、前記指示媒体の軌跡が閉じた軌跡で指示する第一指示方法と、前記指示媒体の軌跡が開いた軌跡で指示する第二指示方法とがあり、
前記第一領域認識手段は、前記第一指示方法及び前記第二指示方法のいずれか一方の指示方法によって前記第一領域を認識することを特徴とする画像処理装置。
＜請求項４＞
請求項３記載の画像処理装置において、
前記第一領域認識手段は、前記第一指示方法によって前記第一領域を認識する場合、前記閉じた軌跡として右回り及び左回りのいずれか一方の軌跡で囲まれた領域を前記第一領域として認識することを特徴とする画像処理装置。
＜請求項５＞
請求項４記載の画像処理装置において、
前記第二領域認識手段は、前記第一指示方法による閉じた軌跡の進行方向が、前記第一領域認識手段が第一領域として認識した軌跡とは異なる場合、当該閉じた軌跡で囲まれた領域を前記第二領域として認識することを特徴とする画像処理装置。
＜請求項６＞
請求項３〜５のいずれか一項に記載の画像処理装置において、
前記第二領域認識手段は、前記第一指示方法によって前記第一領域を認識する場合、前記第二指示方法によって前記第二領域を認識することを特徴とする画像処理装置。
＜請求項７＞
請求項６記載の画像処理装置において、
前記第二領域認識手段は、前記指示媒体の進行方向によって、前記第二領域の種類を区別することを特徴とする画像処理装置。
＜請求項８＞
請求項７記載の画像処理装置において、
前記第二領域認識手段には、前記第二領域の種類としてファイル名指定用の領域を指定するための前記指示媒体の第一進行方向と、前記第二領域の種類として検索キーワード指定用の領域を指定するための前記指示媒体の第二進行方向とが、互いに異なる方向となるように予め設定されていて、
前記決定手段は、前記文字認識手段によって認識された前記ファイル名指定用の領域内の文字に基づいて前記ファイル名を決定し、
前記保存手段は、前記文字認識手段によって認識された前記検索キーワード指定用の領域内の文字からなるキーワードをタグ情報として前記第一領域の画像とともに保存することを特徴とする画像処理装置。
＜請求項９＞
請求項１記載の画像処理装置において、
前記第一領域認識手段及び前記第二領域認識手段は、前記指示媒体で指定される指示の順序に基づいて前記第一領域であるか前記第二領域であるかを区別することを特徴とする画像処理装置。
＜請求項１０＞
請求項１〜９のいずれか一項に記載の画像処理装置において、
前記撮像手段の撮像内容を表示する表示手段を備えることを特徴とする画像処理装置。
＜請求項１１＞
請求項１０記載の画像処理装置において、
前記表示手段は、前記第一領域の指定時と、前記第二領域の指定時とが視覚的に区別がつくように表示することを特徴とする画像処理装置。
＜請求項１２＞
請求項１０又は１１記載の画像処理装置において、
前記表示手段は、前記文字認識手段で認識された文字を表示することを特徴とする画像処理装置。
＜請求項１３＞
指示媒体によって指示される被写体内の指示位置を特定する画像処理方法であって、
前記被写体を撮像する撮像工程と、
前記撮像工程で撮像された領域のうち、前記指示媒体で指定された指定領域を画像保存用の第一領域として認識する第一領域認識工程と、
前記撮像工程で撮像された領域のうち、前記指示媒体で指定された指定領域を文字列指定用の第二領域として認識する第二領域認識工程と、
前記第二領域認識工程で認識された前記第二領域内の文字を認識する文字認識工程と、
前記文字認識工程で認識された文字を基に、前記第一領域認識工程で認識された前記第一領域の画像のファイル名を決定する決定工程と、
前記決定工程により決定された前記ファイル名で、前記第一領域の画像を保存する保存工程とを含むことを特徴とする画像処理方法。
＜請求項１４＞
指示媒体によって指示される被写体内の指示位置を特定する画像処理装置に備わるコンピュータで実行されるプログラムであって、
コンピュータを、
前記被写体を撮像する撮像手段と、
前記撮像手段で撮像された領域のうち、前記指示媒体で指定された指定領域を画像保存用の第一領域として認識する第一領域認識手段と、
前記撮像手段で撮像された領域のうち、前記指示媒体で指定された指定領域を文字列指定用の第二領域として認識する第二領域認識手段と、
前記第二領域認識手段で認識された前記第二領域内の文字を認識する文字認識手段と、
前記文字認識手段で認識された文字を基に、前記第一領域認識手段で認識された前記第一領域の画像のファイル名を決定する決定手段と、
前記決定手段により決定された前記ファイル名で、前記第一領域の画像を保存する保存手段として機能させることを特徴とするプログラム。
【符号の説明】
【００６４】
１      書画カメラ装置（画像処理装置）
２      資料（被写体）
５      指示前画像
６      指示中画像
１１      台座
１２      スタンド部
１３      カメラ（撮像手段）
１４      パソコン（第一領域認識手段、第二領域認識手段、文字認識手段、決定手段、保存手段）
１５      ディスプレイ（表示手段）
２１      台座
５１，５２ｂ，５３    同色領域
５２      マスク領域
５２ｃ    輪郭
５２ｄ    位置（指示位置）
ｃ      切り出し領域（第一領域）
ｄ      文字列領域（第二領域）
Ｅ      指示媒体部分
Ｆ      指（指示媒体）
ｆ１    開始点座標
ｆ２    軌跡
【図１】
2015033002.tif 000003
【図２】
2015033002.tif 000004
【図３】
2015033002.tif 000005
【図４】
2015033002.tif 000006
【図５】
2015033002.tif 000007
【図６】
2015033002.tif 000008
【図７】
2015033002.tif 000009
【図８】
2015033002.tif 000010
【図９】
2015033002.tif 000011
【図１０】
2015033002.tif 000012
【図１１】
2015033002.tif 000013
【図１２】
2015033002.tif 000014
【図１３】
2015033002.tif 000015
【図１４】
2015033002.tif 000016
【図１５】
2015033002.tif 000017
【図１６】
2015033002.tif 000018
【図１７】
2015033002.tif 000019
【図１８】
2015033002.tif 000020